(57)【要約】【課題】抽斗本体への前板の取り付け位置の調整を、最小の部品点数をもって、適切かつ合理的に行えるようにする。【解決手段】前板３に取り付けられる第一部材５と、抽斗本体２に取り付けられる第二部材６と、第二部材６に形成された通し穴６ｄを通じて第一部材５に形成されたネジ穴５えにネジ付けられるネジ体７とからなる取り付け部材４を備える。第一部材５の当接部５ａ、及び、第二部材６の被当接部６ａの一方を、上下方向に続く突出部とすると共に、他方を、上下方向ｚに続く凹部とし、かつ、突出部及び凹部の左右方向の断面輪郭形状を、上下方向ｚに軸中心線を配する仮想の円筒体の周面に沿うように形成させている。第一部材５のネジ穴５ｅを当接部５ａにおける左右方向ｙ中程の位置に形成させ、かつ、第二部材６の通し穴６ｄを、第二部材６を前後に貫通して被当接部６ａに前側の穴口６ｅを位置させた左右方向ｙに長い長穴状としてなる。【選択図】図６
2020163199.tif 000002
【特許請求の範囲】
【請求項１】
前板の背面に取り付けられる第一部材と、抽斗本体の前部に取り付けられる第二部材と、前記第二部材に形成された通し穴を通じて前記第一部材に形成されたネジ穴にネジ付けられるネジ体とからなる取り付け部材によって、前記前板を前記抽斗本体に固定させてなる抽斗体であって、
前記第一部材における前記ネジ付けにより前記第二部材に押しつけられる当接部、及び、前記第二部材における前記ネジ付けにより前記第一部材に押しつけられる被当接部の一方を、上下方向に続く突出部とすると共に、
前記当接部及び被当接部の他方を、前記突出部を受け入れる上下方向に続く凹部とし、
かつ、前記突出部及び前記凹部の左右方向の断面輪郭形状を、上下方向に軸中心線を配する仮想の円筒体の周面に沿うように形成させており、
前記第一部材の前記ネジ穴を、前記当接部における左右方向中程の位置に形成させ、
かつ、前記第二部材の前記通し穴を、前記第二部材を前後に貫通して前記被当接部に前側の穴口を位置させた左右方向に長い長穴状としてなる、抽斗体。
【請求項２】
前記前板に対する前記第一部材の取り付け位置及び前記抽斗本体に対する前記第二部材の取り付け位置の一方を上下方向に調整可能とし、他方を左右方向に調整可能としてなる、請求項１に記載の抽斗体。
【請求項３】
上下方向に間隔を開けた二箇所においてそれぞれ、前記取り付け部材により前記前板を前記抽斗本体に固定させてなる、請求項１又は請求項２に記載の抽斗体。
【発明の詳細な説明】
【技術分野】
【０００１】
この発明は、各種の家具や店舗什器などの一部となって、この家具などの収納空間に引き出し可能に納められる抽斗体の改良に関する。
【背景技術】
【０００２】
シシテムキッチンに引き出し可能に備えられる収納体について、前板の取り付け位置調整を可能としたものとして、特許文献１に示されるものがある。このような前板の調整は、収納本体部に組立誤差や運搬時の歪みなどが生じた場合に必要となる。
【０００３】
この特許文献１のものは、収納本体部の前面側に固定された軸部材と、前板の背面に固定された第１の取り付け用部材と、この第１の取り付け用部材との間で前記軸部材を挟み込んでネジ止めされる第２の取り付け用部材との３パーツから構成されている。この特許文献１のものでは、前記ネジ止めを緩めて前記前板を軸部材を中心に回動調整させた後、ネジを締め込むことで、調整後の位置で収納本体部に対し前板を保持できるようになっている。
【先行技術文献】
【特許文献】
【０００４】
【特許文献１】特許第４８５５９４９号
【発明の概要】
【発明が解決しようとする課題】
【０００５】
この発明が解決しようとする主たる問題点は、この種の抽斗体において、抽斗本体への前板の取り付け位置の調整を、最小の部品点数をもって、適切かつ合理的に行えるようにする点にある。
【課題を解決するための手段】
【０００６】
前記課題を達成するために、この発明にあっては、抽斗体を、前板の背面に取り付けられる第一部材と、抽斗本体の前部に取り付けられる第二部材と、前記第二部材に形成された通し穴を通じて前記第一部材に形成されたネジ穴にネジ付けられるネジ体とからなる取り付け部材によって、前記前板を前記抽斗本体に固定させてなる抽斗体であって、
前記第一部材における前記ネジ付けにより前記第二部材に押しつけられる当接部、及び、前記第二部材における前記ネジ付けにより前記第一部材に押しつけられる被当接部の一方を、上下方向に続く突出部とすると共に、
前記当接部及び被当接部の他方を、前記突出部を受け入れる上下方向に続く凹部とし、
かつ、前記突出部及び前記凹部の左右方向の断面輪郭形状を、上下方向に軸中心線を配する仮想の円筒体の周面に沿うように形成させており、
前記第一部材の前記ネジ穴を、前記当接部における左右方向中程の位置に形成させ、
かつ、前記第二部材の前記通し穴を、前記第二部材を前後に貫通して前記被当接部に前側の穴口を位置させた左右方向に長い長穴状としてなる、ものとした。
【０００７】
前記前板に対する前記第一部材の取り付け位置及び前記抽斗本体に対する前記第二部材の取り付け位置の一方を上下方向に調整可能とし、他方を左右方向に調整可能とすることが、この発明の態様の一つとされる。
【０００８】
また、上下方向に間隔を開けた二箇所においてそれぞれ、前記取り付け部材により前記前板を前記抽斗本体に固定させるようにすることが、この発明の態様の一つとされる。
【発明の効果】
【０００９】
この発明によれば、この種の抽斗体において、抽斗本体への前板の取り付け位置の調整を、最小の部品点数をもって、適切かつ合理的に行うことができる。
【図面の簡単な説明】
【００１０】
【図１】図１は、この発明の一実施の形態にかかる抽斗体の抽斗本体と前板とを分離して示した斜視構成図である。
【図２】図２は、抽斗本体の前面枠部の上部と取り付け部材とを分離して示した要部斜視構成図であり、これらを前方から見て示している。
【図３】図３は、抽斗本体の前面枠部の上部と取り付け部材とを分離して示した要部斜視構成図であり、これらを後方から見て示している。
【図４】図４は、抽斗本体の前面枠部の上部の要部斜視構成図であり、この箇所を前方から見て示している。
【図５】図５は、抽斗本体の前面枠部の上部の要部斜視構成図であり、この箇所を後方から見て示している。
【図６】図６は、取り付け部材と前板との固定状態を示した断面構成図であり、抽斗本体の前面枠部はマウント部のみを表して示している。
【図７】図７は、取り付け部材と前板との固定状態を示した断面構成図であり、図６の状態から前板を傾動させた様子を示しており、抽斗本体の前面枠部はマウント部のみを表して示している。
【発明を実施するための形態】
【００１１】
以下、図１〜図７に基づいて、この発明の典型的な実施の形態について、説明する。この実施の形態にかかる抽斗体１は、スライドレール１２によって支持されるなどして、各種の家具や店舗什器などの一部となって、この家具などの収納空間１３に引き出し可能に納められるものである。
【００１２】
図示の例では、抽斗体１は、その引き出し・押し込み方向ｘ（前後方向／図１参照）に長く、かつ、この引き出し・押し込み方向ｘに直交する左右方向ｙ（図１参照）に短い、長方形の盤状をなす底部２ａを備えている。
【００１３】
図示の例では、抽斗体１は、前板３と抽斗本体２とから構成されている。抽斗本体２は前記底部２ａを底面とする仮想の六面体の前面に実質的に沿うように配される前面枠部２ｂと、前記六面体の背面に実質的に沿うように配される背面枠部２ｃと、前記六面体の側面の一方に実質的に沿うように配される側面枠部２ｄとを備え、前記六面体の上面と側面の他方とを開放させた構成となっている。前記前面枠部２ｂ、背面枠部２ｃ、及び、側面枠部２ｄは、金属線の線材から構成される外周部２ｅに、金属製の線材から構成される縦棒部２ｆ及び横棒部２ｇを適宜の位置に一体に固着させることで構成されている。
【００１４】
また、図示の例では、抽斗本体２の前部となる前面枠部２ｂに、取り付け部材４を介して、前板３が取り付けられるようになっている。前記前板３は、抽斗体１を前記収納空間１３に押し込みきった位置で、前記家具などの前面の一部となる。
【００１５】
図示の例では、前面枠部２ｂには、四本の横棒部２ｇが備えられている。最も上に位置される一段目の横棒部２ｇａと二段目の横棒部２ｇｂとの間と、三段目の横棒部２ｇｃと最も下に位置される四段目の横棒部２ｇｄとの間とには、前記取り付け部材４の上下寸法よりもやや大きい上下寸法を持った空間１０が形成されている。また、二段目の横棒部２ｇｂと三段目の横棒部２ｇｃとの間には、前面枠部２ｂの上下方向の寸法の約２／３を占める間隔が開けられている。縦棒部２ｆは二段目の横棒部２ｇｂと三段目の横棒部２ｇｃとの間に架設されている。
【００１６】
一段目の横棒部２ｇａと二段目の横棒部２ｇｂ、及び、三段目の横棒部２ｇｃと四段目の横棒部２ｇｄとの間にはそれぞれ、前記取り付け部材４における後述の第二部材６の取り付け用のマウント部１１が形成されている。マウント部１１は、上下の横棒部２ｇａ、２ｇｂ及び２ｇｃ、２ｇｄ間に架設された一対の帯板体１１ａによって構成されている。図示の例では、帯板体１１ａは、板面を左右方向に沿わせると共に、上端及び下端をそれぞれ横棒部２ｇに溶着させている。一段目の横棒部２ｇａと二段目の横棒部２ｇｂとの間の前記空間１０、及び、三段目の横棒部２ｇｃと四段目の横棒部２ｇｄとの間の前記空間１０は、一対の帯板体１１ａによって、三分割されている。帯板体１１ａの上下方向中程の位置には、帯板体１１ａを前後方向に貫通するネジ穴１１ｃが形成されている。
【００１７】
前記取り付け部材４は、第一部材５と、第二部材６と、ネジ体７とから構成されている。
【００１８】
第一部材５は、前板３の背面３ａに取り付けられる。第一部材５は、左右寸法を第二部材６よりも大きくした左右方向ｙに長い長方形状の板状を呈している。
第一部材５の左右方向ｙ中程の位置には、後述のネジ付けによって第二部材６の被当接部６ａに押しつけられる当接部５ａが形成されている。
第一部材５の当接部５ａは、第一部材５の後面５ｂ側に形成されている。第一部材５は、その前面５ｃを前板３の背面３ａに密着させた状態で、前板３に取り付けられる。図示の例では、第一部材５は、前記当接部５ａを挟んだ左右にそれぞれ、前板３に対する止着用ネジ８の通し穴５ｄを備えている。第一部材５は、この通し穴５ｄを通じて後方から止着用ネジ８を前板３にネジ付けることで前板３に固定されるようになっている（図６参照）。
【００１９】
第二部材６は、抽斗本体２の前部となる前面枠部２ｂに取り付けられる。第二部材６は、左右方向ｙに長い長方形状の板状を呈している。
第二部材６の左右方向ｙ中程の位置には、後述のネジ付けによって第一部材５の当接部５ａに押しつけられる被当接部６ａが形成されている。
第二部材６の被当接部６ａは、第二部材６の前面６ｂ側に形成されている。第二部材６は、その前面６ｂを前記マウント部１１を構成する帯板体１１ａの後面１１ｂに密着させた状態で、抽斗本体２の前部に取り付けられる。図示の例では、第二部材６は、前記被当接部６ａを挟んだ左右にそれぞれ、マウント部１１を構成する帯板体１１ａに対する止着用ネジ９の通し穴６ｃを備えている。第二部材６は、一対の帯板体１１ａの間に被当接部６ａを位置させた状態において、左右の通し穴６ｃを通じて後方から止着用ネジ９を対応する帯板体１１ａのネジ穴１１ｃににネジ付けることで抽斗本体２の前部に固定されるようになっている。
【００２０】
ネジ体７は、前記第二部材６に形成された通し穴６ｄを通じて前記第一部材５に形成されたネジ穴５ｅにネジ付けられる。
この実施の形態にあっては、前記第一部材５のネジ穴５ｅは、前記当接部５ａにおける左右方向ｙ中程の位置に形成されている。
図示の例では、第一部材５のネジ穴５ｅは、第一部材５をプラスチック材料によって成形するときの金型内のインサート物となって第一部材５に内蔵された金属製のナット体５ｈによって構成されている。
また、前記第二部材６の前記通し穴６ｄは、前記第二部材６を前後に貫通して前記被当接部６ａに前側の穴口６ｅを位置させている。また、第二部材６の通し穴６ｄは左右方向ｙに長い長穴状となっている。
【００２１】
また、この実施の形態にあっては、前記第一部材５における前記ネジ付けにより前記第二部材６に押しつけられる当接部５ａ、及び、前記第二部材６における前記ネジ付けにより前記第一部材５に押しつけられる被当接部６ａの一方を、上下方向に続く突出部とすると共に、
前記当接部５ａ及び被当接部６ａの他方を、前記突出部を受け入れる上下方向に続く凹部としている。
それと共に、前記突出部及び前記凹部の左右方向ｙの断面輪郭形状を、上下方向に軸中心線を配する仮想の円筒体（図示は省略する。）の周面に沿うように形成させている。
【００２２】
図示の例では、当接部５ａを突出部として構成し、被当接部６ａを凹部として構成している。
【００２３】
当接部５ａは、第一部材５の幅方向、すなわち、上下方向ｚに亘って形成されている。当接部５ａの断面輪郭形状は、上下方向ｚいずれの位置においても同じ形状となっている。当接部５ａは、第一部材５の長さ方向、すなわち、左右方向ｙの中程の位置に頂部５ｆを位置させて後方に突き出す畝状を呈している。
【００２４】
ネジ穴５ｅは、前記当接部５ａにおける左右方向ｙの中程の位置で、かつ、上下方向ｚの中程の位置に形成されている。
【００２５】
また、図示の例では、当接部５ａには、上下方向ｚに沿って形成された複数の突条と隣り合う突条間に形成される細溝とからなるローレット部５ｇが形成されている。図示の例では、ローレット部５ｇは、当接部５ａの頂部５ｆを含んだ当接部５ａの左右寸法の約１／３の範囲に形成されている。
【００２６】
一方、被当接部６ａは、第二部材６の幅方向、すなわち、上下方向ｚに亘るように形成されている。
【００２７】
図示の例では、第二部材６の前面６ｂには、一対の縦向き突条６ｆと、一対の縦向き突条６ｆの上端間に亘る上側横向き突条６ｇと、一対の縦向き突条６ｆの下端間に亘る下側横向き突条６ｈとからなる枠部６ｉが形成されている。被当接部６ａは、この枠部６ｉ内に形成されている。
【００２８】
被当接部６ａの断面輪郭形状は、上下方向ｚいずれの位置においても同じ形状となっている。被当接部６ａは、第二部材６の長さ方向、すなわち、左右方向ｙの中程の位置に最深部６ｊを位置させて後方に窪むと共に、前記上側横向き突条６ｇと下側横向き突条６ｈ間に亘る縦方向に続く溝状を呈している。
【００２９】
前記ネジ体７の通し穴６ｄは、被当接部６ａにおける上下方向ｚの中程の位置に形成されている。
【００３０】
また、図示の例では、被当接部６ａには、上下方向ｚに沿って形成された複数の突条と隣り合う突条間に形成される細溝とからなるローレット部６ｋが形成されている。図示の例では、ローレット部６ｋは、被当接部６ａの最深部６ｊを含んだ被当接部６ａの左右寸法の約１／３の範囲に形成されている。
【００３１】
当接部５ａの上下寸法Ｌ１（図３参照）は、前記枠部６ｉの上側横向き突条６ｇと下側横向き突条６ｈ間の距離Ｌ２（図２参照）と実質的に等しく、また、当接部５ａの左右寸法Ｌ３（図３参照）は前記枠部６ｉの一対の縦向き突条６ｆ間の距離Ｌ４（図２参照）と実質的に等しくなっている。また、当接部５ａは、被当接部６ａに相補的に収まる形態となっている。
【００３２】
抽斗本体２の前部に取り付け部材４は、前記空間１０内において、第二部材６を前記マウント部１１に止着用ネジ９により取り付けると共に、この第二部材６の被当接部６ａに第一部材５の当接部５ａを向き合わせた状態で第二部材６の通し穴６ｄを通じて第一部材５のネジ穴５ｅにネジ体７をネジ付けることで、取り付けられる。
【００３３】
このように抽斗本体２の前部に取り付けられた取り付け部材４の第一部材５の通し穴５ｄを通じて後方から止着用ネジ８を前板３にネジ付けることで取り付け部材４を介して抽斗本体２に前板３に固定される（図６参照）。
【００３４】
ここで、当接部５ａ及び被当接部６ａの一方は上下方向ｚに続く突出部で、他方は突出部を受け入れる上下方向ｚに続く凹部で、さらに、これらの断面輪郭形状は上下方向ｚに軸中心線を配する仮想の円筒体の周面に沿っていることから、前記ネジ体７を締め付けきらない状態では、第二部材６に対し第一部材５を垂直軸ａｘ１（図１参照）を巡る向きに一定の範囲で回動させることが可能であり、これにより、前記のように取り付けられた前板３を前記垂直軸ａｘ１を中心とした傾動調整することが可能となっている。この実施の形態にあっては、当接部５ａ及び被当接部６ｋは前記ローレット部５ｇ、６ｋをかみ合わせるようにして接し合うようになっており（図６参照）、これにより、この傾動調整に節度感とクリック感とが生じるようになっている。第二部材６の通し穴６ｄは左右方向ｙに長い長穴状であることから、この傾動調整により、前板３の前面３ｂを、システムキッチンなどの化粧面が配される理想平面ｓｆ（図７参照）と一致させた状態から、前記ネジ体７を締め付けきることが可能であり、これにより前記傾動調整後の位置に前板３を保持させることができる（図７参照）。
【００３５】
図６及び図７において符号１４で示すのは、ネジ体７のネジ頭７ａと第二部材６の後面６ｍとの間に介在されるワッシャ１４である。
【００３６】
また、この実施の形態にあっては、前記前板３に対する前記第一部材５の取り付け位置及び前記抽斗本体２に対する前記第二部材６の取り付け位置の一方を上下方向ｚに調整可能とし、他方を左右方向ｙに調整可能としている。
【００３７】
図示の例では、第一部材５の通し穴５ｄは左右方向ｙに長い長穴状をなしており、これにより、第一部材５に対する前板３の取り付け位置、すなわち、抽斗本体２に対する前板３の取り付け位置を、前記通し穴５ｄの長さの範囲内で左右方向ｙにおいて調整可能となっている。
【００３８】
また、図示の例では、第二部材６の通し穴６ｃは上下方向ｚに長い長穴状をなしており、これにより、第二部材６の抽斗本体２に対する取り付け位置を前記空間１０内において前記通し穴６ｃの長さの範囲内で上下方向ｚに調整できるようになっている。これによって、抽斗本体２に対する前板３の取り付け位置も上下方向ｚにおいて調整可能となっている。
【００３９】
また、この実施の形態にあっては、上下方向ｚに間隔を開けた二箇所においてそれぞれ、前記取り付け部材４により前記前板３を前記抽斗本体２に固定させるようにしている。図３〜図５においては上側の取り付け部材４を示しているが、下側の取り付け部材４は上側の取り付け部材と同一の構成であり、その説明は省略する。
【００４０】
上側に位置される取り付け部材４の第一部材５と前板３との密着性を高めるように、前記止着用ネジ８を締め込めば水平軸ａｘ２（図１参照）を中心として上端側を後方に傾けるように前板３は傾動され、これとは逆に、下側に位置される取り付け部材４の第一部材５と前板３との密着性を高めるように、前記止着用ネジ８を締め込めば水平軸ａｘ２を中心として下端側を後方に傾けるように前板３は傾動される。これにより、この実施の形態にあっては、前板３を前記水平軸ａｘ２を中心とした傾動調整することも可能となっている。
【００４１】
なお、当然のことながら、本発明は以上に説明した実施態様に限定されるものではなく、本発明の目的を達成し得るすべての実施態様を含むものである。
【符号の説明】
【００４２】
１  抽斗体
２  抽斗本体
２ａ  底部
２ｂ  前面枠部
２ｃ  背面枠部
２ｄ  側面枠部
２ｅ  外周部
２ｆ  縦棒部
２ｇ  横棒部
２ｇａ  一段目の横棒部
２ｇｂ  二段目の横棒部
２ｇｃ  三段目の横棒部
２ｇｄ  四段目の横棒部
３  前板
３ａ  背面
３ｂ  前面
４  取り付け部材
５  第一部材
５ａ  当接部
５ｂ  後面
５ｃ  前面
５ｄ  通し穴
５ｅ  ネジ穴
５ｆ  頂部
５ｇ  ローレット部
５ｈ  ナット体
６  第二部材
６ａ  被当接部
６ｂ  前面
６ｃ  通し穴
６ｄ  通し穴
６ｅ  前側の穴口
６ｆ  縦向き突条
６ｇ  上側横向き突条
６ｈ  下側横向き突条
６ｉ  枠部
６ｊ  最深部
６ｋ  ローレット部
６ｍ  後面
７  ネジ体
７ａ  ねじ頭
８  止着用ネジ
９  止着用ネジ
１０  空間
１１  マウント部
１１ａ  帯板体
１１ｂ  後面
１１ｃ  ネジ穴
１２  スライドレール
１３  収納空間
１４  ワッシャ
ｘ  引き出し・押し込み方向（前後方向）
ｙ  左右方向
ｚ  上下方向
ａｘ１  垂直軸
ａｘ２  水平軸
ｓｆ  理想平面
【図１】
2020163199.tif 000003
【図２】
2020163199.tif 000004
【図３】
2020163199.tif 000005
【図４】
2020163199.tif 000006
【図５】
2020163199.tif 000007
【図６】
2020163199.tif 000008
【図７】
2020163199.tif 000009